(57)【要約】【課題】血液汚れを簡便かつ効果的に除去すること可能な洗浄用組成物の提供。【解決手段】セロトニンを含む血液汚れ洗浄用組成物を提供する。この血液汚れ洗浄用組成物は、さらに鉄イオンを含むことが好ましい。【選択図】なし【特許請求の範囲】
【請求項１】
セロトニンを含む血液汚れ洗浄用組成物。
【請求項２】
さらに鉄を含む請求項１記載の血液汚れ洗浄用組成物。
【請求項３】
石鹸である請求項１又は２記載の血液汚れ洗浄用組成物。
【発明の詳細な説明】
【技術分野】
【０００１】
本発明は、血液汚れ洗浄用組成物に関する。より詳しくは、セロトニンを含む血液汚れ洗浄用組成物に関する。
【背景技術】
【０００２】
衣料や繊維製品に付着した血液汚れは、非常に落としにくい汚れである。血液が付着した後に乾いて繊維に強固に付着した血液汚れは、ホテル及び病院で使用されるシーツ、包布、白衣及び術着などでは特に問題となっている。血液汚れの洗浄は、通常は先ず水による予備洗浄が行われ、その後、本洗浄として、洗剤、アルカリ剤及び漂白剤を併用して６０〜８０℃の高温で洗浄が行われている。
【０００３】
特許文献１には、予備洗浄と本洗浄の工程からなり、界面活性剤を用いた血液汚染布の洗浄方法が記載されている。強力な界面活性剤を使用した場合には、衣料や繊維製品の色落ちが生じる場合がある。この点、特許文献２には、界面活性剤を用いることなく血液汚れをきれいに取り除くことができる洗浄剤として、納豆及び麹を利用した洗浄剤が記載されている。
【先行技術文献】
【特許文献】
【０００４】
【特許文献１】特開２００２−１３８３００号公報
【特許文献２】特開平１０−４６１９６号公報
【発明の概要】
【発明が解決しようとする課題】
【０００５】
本発明は、血液汚れを簡便かつ効果的に除去すること可能な洗浄用組成物を提供することを主な目的とする。
【課題を解決するための手段】
【０００６】
上記課題解決のため、本発明は、以下の［１］〜［４］を提供する。
［１］セロトニンを含む血液汚れ洗浄用組成物。
［２］さらに鉄を含む［１］の血液汚れ洗浄用組成物。
［３］セロトニンを５０ｐＭ〜１０ｎＭ、鉄を０．１〜５．０ｍｇ／Ｌを含む［２］の血液汚れ洗浄用組成物。
［４］石鹸である［３］の血液汚れ洗浄用組成物。
【発明の効果】
【０００７】
本発明により、血液汚れを簡便かつ効果的に除去すること可能な洗浄用組成物が提供される。
【図面の簡単な説明】
【０００８】
【図１】血液を付着させて２週間天日干しした綿布の洗浄試験の結果を示す図面代用写真である。
【図２】血液を付着させて２か月天日干しした綿布の洗浄試験の結果を示す図面代用写真である。
【図３】血液を付着させて３６時間室温保存した綿布の洗浄試験の結果を示す図面代用写真である。
【発明を実施するための形態】
【０００９】
以下、本発明を実施するための好適な形態について説明する。なお、以下に説明する実施形態は、本発明の代表的な実施形態の一例を示したものであり、これにより本発明の範囲が狭く解釈されることはない。
【００１０】
本発明に係る血液汚れ洗浄用組成物は、セロトニンと鉄を含むことを特徴とする。本発明に係る血液汚れ洗浄用組成物は、界面活性剤を含んでいてもよいが、界面活性剤を含まずとも血液汚れを効果的に除去し得るものであり、洗浄による色落ちも生じ難い。
【００１１】
セロトニンは、合成化合物であっても、天然由来の化合物であってもよい。
【００１２】
合成化合物とする場合、文献記載の公知手法（例えば、Life Sci., 2014, Vol.97, No.1, p.20-26参照）を用いて合成することができる。
【００１３】
天然由来の化合物とする場合、植物の抽出物中に得ることができる。セロトニンを抽出可能な植物としては、特に限定されないが、ひまわり、コーヒー豆、タマネギ、長ネギ、ほうれん草、レタス、チシャ、チコリー、白菜、甘草、パイナップル、バナナ、トマト、キュウリ、ムクナ草、イチゴ、チェリー、プラム、ぶどう、パパイヤ、ベンケイソウ属植物、大豆、レインツリー属植物、エンドウ豆、ハーマル属植物、ピーナッツ、アーモンド、カカオ豆、アカシア（オジギソウ属）、マラキュージャ属植物、プラム、ナスビ、イラクサ、Ｇｕｓｈ属植物、パンプキン、胡椒、ジャガイモ、トウモロコシ、ブロッコリー、かぼちゃ、さつまいも、ペパーミント、ベリーリーフ、クルミ、レモン、セダー、ベルガモット、ラム、バニラ草、イチョウ、朝鮮人参、高麗人参、ハーブ属（一般にハーブと称される植物の総称）、胡麻、麻、亜麻、綿実、ゴーヤ、スイカ、カキネガラシ、とうがらし、米、玄米、小麦、大麦、ハスカップ、行者ニンニク、人参及びごぼうなどがあげられる。これらの植物には、セロトニンが含まれていることが知られている。また、植物の抽出部位も、特に限定されないが、葉、茎、根、花、種子、果実、及びこれらの皮などであってよい。また、昆布、ワカメ及びモズクなどの海藻類にもセロトニンが含まれており、これらからセロトニンを得ることもできる。特には、ひまわりの種子、トマトの皮、モズク及びワカメ等は、多くのセロトニンを含み、入手や抽出操作も容易であるため、好ましい。
【００１４】
セロトニンの配合量は、特に限定されないが、５０ｐＭ〜１０ｎＭ、好ましくは１００ｐＭ〜５ｎＭである。セロトニンは、鉄イオンに対するキレート作用によりヘム鉄から鉄イオンを抜き取って血液汚れ中のヘム鉄（赤褐色）を消色させているものと考えられる。
【００１５】
鉄はイオンの状態で含まれていてもよく、塩の状態で含まれていてもよい。鉄イオンは、二価あるいは三価鉄であってよい。鉄は、水酸化鉄、酸鉄又は塩化鉄等の形態で組成物中に添加することができる。
【００１６】
鉄の配合量は、特に限定されないが、０．１〜５．０ｍｇ／Ｌである。鉄は、セロトニンに配位して、組成物中におけるセロトニンの安定性を高めているものと考えられる。
【００１７】
本発明に係る血液汚れ洗浄用組成物は、固形（石鹸）であっても、液体であってもよい。固形組成物は、従来公知のコールドプロセス製法（製造例１参照）によって製造することができる。また、液体組成物は、例えば、固形組成物を水等に再溶解させることによって製造できる。本発明に係る血液汚れ洗浄用組成物は、任意に陰イオン界面活性剤、陽イオン界面活性剤及び両性界面活性剤などの界面活性剤を含んでいてもよい。また、従来から石鹸や液体洗剤に配合することが知られている成分を配合することができる。
【００１８】
血液汚れ洗浄用組成物は、病院や薬局、家庭内などにおいて血液汚れが付着した衣類や繊維製品の洗浄に利用できる。また、交通事故などで道路に血痕が付着したような場合に、道路管理者あるいは警察が血液汚れ洗浄用組成物を利用することも想定できる。
【実施例】
【００１９】
＜製造例１：固形洗剤の製造＞
以下の手順により、固形の洗浄用組成物（石鹸）を製造した。
【００２０】
１．セロトニン抽出液の調製
１）市販のヒマワリの種（品種名：ミラクルビーム）を生理食塩水（５００ｍｌ／種子１００個）中で粉砕した。
２）市販のトマト（ミニトマト）を３７℃の生理食塩水で２０分程度ゆでた後、皮のみを採取した。皮をハサミで細かく切り分けた後、生理食塩水（５００ｍｌ／皮５ｇ）中で粉砕した。
３）市販のモズク及びわかめ（合計３０ｇ）を、粘性が生じるまで乳鉢中で混和した。
４）上記１）〜３）の粉砕物及び混和物を混合した（混合液Ａ）。
５）混合液Ａを３０℃に調整された恒温槽に浸し、１８時間程度緩やかに曝気した。
６）続いて、混合液Ａを３８℃に調整された恒温槽に浸し、６時間程度静置した。
７）市販のコーヒー豆を生理食塩水（５００ｍｌ／種子５０個）中で粉砕し、混合液Ａに添加した（混合液Ｂ）。
８）混合液Ｂを２３℃に調整された恒温槽に浸し、２４時間程度振盪した。
９）続いて、混合液Ｂを３８℃に調整された恒温槽に浸し、４４時間程度曝気した。
１０）さらに、混合液Ｂを３５℃に調整された恒温槽に浸し、１２時間程度静置した。
１１）上澄液をボトル（１）に分取し、室温で１８時間曝気した。
１２）ボトル（１）から１／４量の上澄液をボトル（２）に回収し、室温で１８時間静置した。
１３）ボトル（２）から１／２量の上澄液をボトル（３）に回収し、室温で１８時間曝気した。
１４）ボトル（３）から１／４量の上澄液をボトル（４）に回収し、室温で１８時間静置した。
１５）上澄液をボトル（５）に分注し、４０℃に調整した恒温槽で２４時間静置した。
１６）セファロース粒子を充填したカラムに１５）の溶液を滴下し、初回滴下２分後から７分間後までのカラム通過液を回収した。
１７）カラム通過液を濾過後（複式濾過、１段目濾紙は０．１μｍ、２段目濾紙０．０５μｍ、３段目濾紙は０．０２５μｍ）、滅菌容器中で室温保存した。
【００２１】
２．洗浄用組成物の製造
１）上記で得られたセロトニン抽出液と水を混合し、水酸化ナトリウムを加え、撹拌した。
２）続いて、キャノール油を加えて撹拌した。各成分の質量比は、キャノーラ油：水酸化ナトリウム：セロトニン抽出液：水＝１：０．１５：０．３：０．２とした。
３）鋳型に流し込んだ後、１３℃の恒温装置内で１か月程度静置し、固形状の洗浄用組成物とした。
【００２２】
＜製造例２：液体洗剤の製造＞
以下の手順により、液体の洗浄用組成物を製造した。
１）上記で固形状の洗浄用組成物に２０倍量（質量比）の水を混合し、液状の洗浄用組成物とした。
【００２３】
＜実施例１：洗浄効果の評価＞
製造例１の石鹸と市販の洗浄剤について血液汚れの洗浄効果を評価した。市販の洗浄剤には、ピュアホイップ（花王株式会社）を用いた。
【００２４】
綿布に血液を付着させ、２週間天日干しし、血液を完全に固着させた。水洗後、製造例１の石鹸又は市販の洗浄剤でもみ洗いした。
【００２５】
結果を図１に示す。（Ａ）は天日干し後、（Ｂ）は水洗後、（Ｃ）は市販の洗浄剤（ピュアホイップ）によるもみ洗い後、（Ｄ）は本発明に係る石鹸によるもみ洗い後の綿布の血液固着部を示す。水洗及び市販の洗浄剤によるもみ洗いでは血液汚れが残留した。これに対して、本発明の石鹸によるもみ洗いでは、血液汚れがほぼ完全に消え、布の色落ちも生じなかった。また、本発明の石鹸による洗浄効果は、市販の洗浄剤と組み合わせて用いた場合にも確認できた。
【００２６】
同様にして、綿布に血液を付着させた後の天日干し期間を、１週間に変更して試験を行った。結果、本発明に係る石鹸において、市販の洗浄剤に比して優れた洗浄効果が確認できた。
【００２７】
＜実施例２：洗浄効果の評価＞
製造例１の石鹸、製造例２の液体洗剤及び市販の洗浄剤について血液汚れの洗浄効果を評価した。市販の洗浄剤には、サラサーティ  ランジェリー用洗剤（小林製薬株式会社）を用いた。この市販洗浄剤は、弱アルカリ性であり、界面活性剤（40％アルキルスルホン酸ナトリウム（SAS）、ポリオキシエチレンアルキルエーテル、アルキル硫酸エステルナトリウム）を含む。
【００２８】
綿布に血液を付着させ、２か月天日干しし、血液を完全に固着させた。製造例１の石鹸、製造例２の液体洗剤、市販の洗浄剤でもみ洗いし、水でのもみ洗いと比較した。
【００２９】
結果を図２に示す。（Ａ）は水によるもみ洗い後、（Ｂ）は市販の洗浄剤（サラサーティ  ランジェリー用洗剤）によるもみ洗い後、（Ｃ）は製造例１の石鹸によるもみ洗い後、（Ｄ）は製造例２の液体洗剤によるもみ洗い後の綿布の血液固着部を示す。水洗及び市販の洗浄剤によるもみ洗いでは血液汚れが残留した。これに対して、本発明の石鹸及び液体洗剤によるもみ洗いでは、血液汚れをほぼ完全に除去できた。
【００３０】
また、綿布に血液を付着させた後、天日干しを行わずに３６時間室温保存して試験を行った。結果を図３に示す。（Ａ）は３６時間室温保存後、（Ｂ）は製造例２の液体洗剤によるもみ洗い後の綿布の血液固着部を示す。本発明の液体洗剤によるもみ洗いでは、血液汚れを完全に除去できた。
【００３１】
同様にして、綿布に血液を付着させた後の室温保存期間を、１２時間に変更して試験を行った。結果、本発明に係る液体洗剤において、市販の洗浄剤に比して優れた洗浄効果が確認できた。また、本発明の液体洗剤による洗浄効果は、綿布のかわりに剛線維（運動靴）用いた場合にも確認できた。
【００３２】
＜試験例１：植物抽出物の成分分析＞
製造例１で調製したセロトニン抽出液を液体クロマトグラフを用いてフラクション化し、成分の分析を行った。セロトニン抽出液にセロトニンと鉄が含まれていることが分かった。セロトニン抽出液中に、セロトニンは約１００ｐＭ、鉄イオンは約０．５ｍｇ／Ｌ含まれていた。
【図１】
2017125078.tif 000002
【図２】
2017125078.tif 000003
【図３】
2017125078.tif 000004